(57)【要約】      （修正有）【課題】嗅覚を容易にトレーニングする装置、方法を提供する。【解決手段】香料を含有した嗅覚トレーニング用シートを一人または複数の人間に有させるステップと、前記人間に、前記嗅覚トレーニング用シートが含有する前記香料が徐放するにおいを嗅がせ、同一のにおいである２つ以上の前記嗅覚トレーニング用シートを特定させるステップと、特定された嗅覚トレーニング用シートが有する識別子を取得するステップと、取得した識別子に基づいて、特定された嗅覚トレーニング用シートが含有する香料が徐放するにおいが同一であるか否かを判断するステップとを含む嗅覚トレーニング方法。【選択図】図３
2020183969.tif 000002
【特許請求の範囲】
【請求項１】
香料を含有し、
前記香料を識別するための識別子を有する、嗅覚トレーニング用シート。
【請求項２】
前記識別子は、前記香料が徐放するにおいを示す、請求項１に記載の嗅覚トレーニング用シート。
【請求項３】
前記香料の徐放を防止するための徐放防止材を有する、請求項１または２に記載の嗅覚トレーニング用シート。
【請求項４】
粘着剤が付着された、請求項１から３のいずれか一項に記載の嗅覚トレーニング用シート。
【請求項５】
コンピュータを、
香料を含有した嗅覚トレーニング用シートが有する、第１の香料を識別するための第１の識別子と、第２の香料を識別するための第２の識別子とを取得する取得部、
前記第１の識別子と前記第２の識別子とに基づいて、前記第１の香料が徐放するにおいと前記第２の香料が徐放するにおいとが同一であるか否かを判断する判断部
として機能させるためのプログラム。
【請求項６】
香料を含有した嗅覚トレーニング用シートが有する、第１の香料を識別するための第１の識別子と、第２の香料を識別するための第２の識別子とを取得する取得部と、
前記第１の識別子と前記第２の識別子とに基づいて、前記第１の香料が徐放するにおいと前記第２の香料が徐放するにおいとが同一であるか否かを判断する判断部と
を備えた装置。
【請求項７】
コンピュータが実行する方法であって、
香料を含有した嗅覚トレーニング用シートが有する、第１の香料を識別するための第１の識別子と、第２の香料を識別するための第２の識別子とを取得するステップと、
前記第１の識別子と前記第２の識別子とに基づいて、前記第１の香料が徐放するにおいと前記第２の香料が徐放するにおいとが同一であるか否かを判断するステップと
を含む方法。
【請求項８】
前記第１の香料を識別するための前記第１の識別子を有する前記嗅覚トレーニング用シートを第１の人間に有させ、および、前記第２の香料を識別するための前記第２の識別子を有する前記嗅覚トレーニング用シートを第２の人間に有させるよう指示する画面を表示するステップと、
前記第１の人間に、前記嗅覚トレーニング用シートが含有する前記第１の香料が徐放するにおい、および、前記第２の香料が徐放するにおいを嗅がせるよう指示する画面を表示するステップと
をさらに含む、請求項７に記載の方法。
【請求項９】
香料を含有した嗅覚トレーニング用シートを一人または複数の人間に有させるステップと、
前記人間に、前記嗅覚トレーニング用シートが含有する前記香料が徐放するにおいを嗅がせ、同一のにおいである２つ以上の前記嗅覚トレーニング用シートを特定させるステップと、
前記特定された前記嗅覚トレーニング用シートが有する識別子を取得するステップと、
前記取得した識別子に基づいて、前記特定された前記嗅覚トレーニング用シートが含有する香料が徐放するにおいが同一であるか否かを判断するステップと
を含む嗅覚トレーニング方法。
【発明の詳細な説明】
【技術分野】
【０００１】
本発明は、嗅覚トレーニング用シート、プログラム、装置、および方法に関する。
【背景技術】
【０００２】
五感の一つである嗅覚（臭覚ともいう）をトレーニングすることは、幼児や老人などの多くの人にとって有用である。
【０００３】
特許文献１では、臭覚検査、ニオイの確認、香料の調合等に必要なニオイを提示することができるシート型臭覚検査キットのシート型ニオイ提示具が開示されている。具体的には、特許文献１には、香料マイクロカプセルを含有する固形ベースを紙に塗布し、この紙を折り曲げて互いに接着して密封させた、シート型ニオイ掲示具が記載されている。被験者が、シート型ニオイ掲示具の互いに接着した部分を引き剥がし、放散されたニオイを嗅ぐことによって、臭覚検査が行われる。
【先行技術文献】
【特許文献】
【０００４】
【特許文献１】実用新案登録第３１３９０９８号公報
【発明の概要】
【発明が解決しようとする課題】
【０００５】
しかしながら、特許文献１では、被験者は、シート型ニオイ提示具毎に別途用意された検査ペーパ（数種類のニオイの素となる物が記載されたペーパ）から、ニオイの素を選択回答しなければならず、その正解率からニオイの同定能力が計測される（特許文献１の段落［００２９］）。
【０００６】
特許文献１のように、においを嗅いだ結果の判定が煩雑であると、嗅覚を容易にトレーニングすることができない。
【０００７】
そこで、本発明の一実施形態では、嗅覚を容易にトレーニングすることを目的とする。
【課題を解決するための手段】
【０００８】
本発明の一態様は、香料を含有し、前記香料を識別するための識別子を有する、嗅覚トレーニング用シートである。
【発明の効果】
【０００９】
本発明によれば、嗅覚を容易にトレーニングすることができる。
【図面の簡単な説明】
【００１０】
【図１】本発明の一実施形態に係る嗅覚トレーニング用シートの構造の一例を示す図である。
【図２】本発明の一実施形態に係る嗅覚トレーニングの概要の一例を説明するための図である。
【図３】本発明の一実施形態に係る嗅覚トレーニング用端末の機能ブロック図の一例である。
【図４】本発明の一実施形態に係る識別子に基づく判断方法の一例である。
【図５】本発明の一実施形態に係る識別子に基づく判断方法の一例である。
【図６】本発明の一実施形態に係る識別子に基づく判断方法の一例である。
【図７】本発明の一実施形態に係る識別子に基づく判断方法の一例である。
【図８】本発明の一実施形態に係る識別子情報格納部に格納されているデータの一例である。
【図９】本発明の一実施形態に係る判断処理の一例を示すフローチャートである。
【図１０】本発明の一実施形態に係るトレーニング処理の一例を示すフローチャートである。
【図１１】本発明の一実施形態に係る嗅覚トレーニングの概要の一例を説明するための図である。
【図１２】本発明の一実施形態に係る嗅覚トレーニング用装置のハードウェア構成の一例を示すブロック図である。
【発明を実施するための形態】
【００１１】
以下、図面に基づいて本発明の実施の形態を説明する。
【００１２】
＜シートの構造＞
図１は、本発明の一実施形態に係る嗅覚トレーニング用シート（以下、シートともいう）１０の構造の一例を示す図である。
【００１３】
図１に示されるように、シート１０と徐放防止剤１３と粘着剤１４と剥離紙・剥離フィルム１５との４層が重畳されうる（シールの場合）。なお、シート１０と徐放防止剤１３との２層のみが重畳される構成とすることもできる（カードの場合）。以下、それぞれについて説明する。
【００１４】
＜＜シート１０＞＞
シート１０は、香料１１を含有する。香料１１は、任意のにおいを徐放するものであってよい。図４〜図７を参照しながら後述するように、複数のシート１０が、同一のにおいを徐放する香料１１を含有する。
【００１５】
また、シート１０は、シート１０が含有する香料１１を識別するための識別子（例えば、ＱＲコード（登録商標））１２が付されている。識別子１２は、例えば、シート１０に印刷されてもよいし、あるいは、シート１０にシールなどによって貼り付けられてもよい。
【００１６】
識別子１２は、シート１０が含有する香料１１が徐放するにおいが属するグループ（例えば、グループＡ、グループＢ、グループＣ。同一のグループに属するにおいは同一のにおいである）を示すことができる。また、識別子１２は、シート１０が含有する香料１１が徐放するにおいを発する物（例えば、りんご、みかん、ぶどう）を示すことができる。
【００１７】
なお、シールやカードなどが識別子１２を有していればよく、識別子１２がシート１０以外の層（つまり、徐放防止剤１３や剥離紙・剥離フィルム１５など）に付されていてもよい。
【００１８】
シート１０は、プラスチックフィルム製、紙製などの任意の素材であってよい。また、シート１０は、任意の大きさであってよい。
【００１９】
＜＜徐放防止剤＞＞
シート１０は、徐放防止剤１３を有することができる。具体的には、徐放防止剤１３は、シート１０が含有する香料１１の徐放を防止する。徐放防止剤１３は、例えば、においの成分を透過させないフィルムである。徐放防止剤１３は、シート１０の片面（香料１１が徐放する面）を覆う形状でもよいし、あるいは、全体（シールの場合には、シート１０と粘着剤１４と剥離紙・剥離フィルム１５。カードの場合には、シート１０）を覆う形状でもよい。
【００２０】
後述するように、嗅覚トレーニングの開始時に、シート１０から徐放防止剤１３が除去される（例えば、めくられる）。そのため、嗅覚トレーニングの開始時までは、においが徐放されない。
【００２１】
＜＜粘着剤、剥離紙・剥離フィルム＞＞
シート１０は、粘着剤１４が付着されうる。また、シート１０は、剥離紙・剥離フィルム１５を有することができる。
【００２２】
なお、図１のようなシート１０と徐放防止剤１３と粘着剤１４と剥離紙・剥離フィルム１５との４層が重畳されたシールではなく、シート１０に徐放防止剤１３が付いた首掛けタイプのカードの形態とすることもできる。この場合、シート１０は、人間がシート１０を身に付けるための部材（首にぶらさげるための紐など）を有する。
【００２３】
＜嗅覚トレーニングの概要＞
図２は、本発明の一実施形態に係る嗅覚トレーニングの概要の一例を説明するための図である。
【００２４】
被訓練者Ａ  １００ａ、被訓練者Ｂ  １００ｂ、被訓練者Ｃ  １００ｃ、被訓練者Ｄ  １００ｄ、被訓練者Ｅ  １００ｅ（以下、総称して被訓練者１００ともいう）は、嗅覚トレーニングを受ける者（例えば、幼児）である。被訓練者１００は、複数人で（例えば、被訓練者Ａ  １００ａ、被訓練者Ｂ  １００ｂ、被訓練者Ｃ  １００ｃ、被訓練者Ｄ  １００ｄの場合）嗅覚トレーニングを受けることもできるし、１人で（例えば、被訓練者Ｅ  １００ｅの場合）嗅覚トレーニングを受けることもできる。図２に示されるように、各被訓練者１００は、１または複数の嗅覚トレーニング用シート１０を有している。
【００２５】
管理者２００は、嗅覚トレーニングのための処理を実行する嗅覚トレーニング用端末２０を操作して、嗅覚トレーニングの実施を管理する者（例えば、保育士や幼稚園教員）である。なお、被訓練者１００が嗅覚トレーニング用端末２０を操作するようにしてもよい（この場合、管理者２００は不要である）。
【００２６】
以下、複数人で嗅覚トレーニングを受ける場合と、１人で嗅覚トレーニングを受ける場合とに分けて説明する。
【００２７】
＜＜複数人の場合＞＞
まず、管理者２００は、被訓練者１００に、被訓練者１００自身の衣服または身体にシート１０を貼り付けさせたり（シールの場合）、被訓練者１００自身の首にシート１０をぶらさげさせたり（カードの場合）する。次に、管理者２００は、被訓練者１００に、被訓練者１００自身のシート１０が含有する香料１１が徐放するにおいと、自身以外の被訓練者１００のシート１０が含有する香料１１が徐放するにおいとを嗅がせる。そして、管理者２００は、被訓練者１００に、同一のにおいである２つ以上のシート１０を特定させる（例えば、自身のシート１０と同一のにおいである自身以外の被訓練者１００のシート１０を見つけ出させる）。被訓練者１００は、特定した２つ以上のシート１０を管理者２００に提示する。次に、管理者２００は、嗅覚トレーニング用端末２０を用いて、被訓練者１００によって特定された２つ以上のシート１０に付された識別子１２を取得する（例えば、ＱＲコードを読み取る）。そして、管理者２００は、嗅覚トレーニング用端末２０を用いて、被訓練者１００によって特定された２つ以上のシート１０が含有する香料１１が徐放するにおいが同一であるか否かを識別子１２に基づいて判断する。同一であった場合、管理者２００は、被訓練者１００に褒美を与えることができる。
【００２８】
＜＜１人の場合＞＞
まず、管理者２００は、被訓練者１００に、複数のシート１０を有させる。次に、管理者２００は、被訓練者１００に、被訓練者１００のシート１０が含有する香料１１が徐放するにおいを嗅がせる。そして、管理者２００は、被訓練者１００に、同一のにおいである２つ以上のシート１０を特定させる。被訓練者１００は、特定した２つ以上のシート１０を管理者２００に提示する。次に、管理者２００は、嗅覚トレーニング用端末２０を用いて、被訓練者１００によって特定された２つ以上のシート１０に付された識別子１２を取得する（例えば、ＱＲコードを読み取る）。そして、管理者２００は、嗅覚トレーニング用端末２０を用いて、被訓練者１００によって特定された２つ以上のシート１０が含有する香料１１が徐放するにおいが同一であるか否かを識別子１２に基づいて判断する。同一であった場合、管理者２００は、被訓練者１００に褒美を与えることができる。
【００２９】
なお、＜＜複数人の場合＞＞も＜＜１人の場合＞＞も、被訓練者１００が、同一のにおいではなく異なるにおいを見つけ出すようにしてもよい。
【００３０】
＜機能構成＞
図３は、本発明の一実施形態に係る嗅覚トレーニング用端末２０の機能ブロック図の一例である。嗅覚トレーニング用端末２０は、取得部２１、判断部２２、識別子情報格納部２３、通知部２４を含むことができる。嗅覚トレーニング用端末２０は、プログラムを実行することで、取得部２１、判断部２２、通知部２４として機能することができる。例えば、嗅覚トレーニング用端末２０がスマートフォンである場合、嗅覚トレーニング用端末２０は、スマートフォンアプリケーションを実行することで、取得部２１、判断部２２、通知部２４として機能することができる。以下、それぞれについて説明する。
【００３１】
取得部２１は、香料１１を含有したシート１０に付された識別子１２を取得する。例えば、取得部２１は、識別子１２がＱＲコードである場合、ＱＲコードを読み取る。取得部２１は、取得した識別子１２を、判断部２２が参照できるように嗅覚トレーニング用端末２０内のメモリに記憶させる。
【００３２】
判断部２２は、取得部２１が取得した２つ以上の識別子１２に基づいて、シート１０が含有する香料１１が徐放するにおいが同一であるか否かを判断する。具体的には、判断部２２は、香料１１を含有したシート１０に付された第１の香料を識別するための第１の識別子と、第２の香料を識別するための第２の識別子とに基づいて、第１の香料が徐放するにおいと第２の香料が徐放するにおいとが同一であるか否かを判断する。以下、図４〜図７を参照しながら、判断方法について詳細に説明する。
【００３３】
＜＜判断方法１＞＞
図４は、本発明の一実施形態に係る識別子１２に基づく判断方法の一例（判断方法１）である。図４の例では、同一のにおいを徐放する香料１１を含有するシート１０には、同一の識別子１２が付与される。図４の例では、識別子と、その識別子が付されたシート１０が含有する香料１１が徐放するにおいが属するグループ（例えば、グループＡ、グループＢ、グループＣ。同一のグループに属するにおいは同一のにおいである）の情報と、が紐付けられて、識別子情報格納部２３内で管理されている。したがって、判断部２２は、同一の識別子であれば同一のにおいであると判断し、異なる識別子であれば異なるにおいであると判断することができる。
【００３４】
＜＜判断方法２＞＞
図５は、本発明の一実施形態に係る識別子１２に基づく判断方法の一例（判断方法２）である。図５の例では、図４の判断方法１と同様に、同一のにおいを徐放する香料１１を含有するシート１０には、同一の識別子１２が付与される。図５の例では、識別子と、その識別子が付されたシート１０が含有する香料１１が徐放するにおいを発する物（例えば、りんご、みかん、ぶどう）の情報と、が紐付けられて、識別子情報格納部２３内で管理されている。したがって、判断部２２は、同一の識別子であれば同一のにおいであると判断し、かつ、同一のにおいが何のにおいであったかを判断することができる。また、判断部２２は、異なる識別子であれば異なるにおいであると判断し、かつ、それぞれのにおいが何のにおいであったかを判断することができる。
【００３５】
＜＜判断方法３＞＞
図６は、本発明の一実施形態に係る識別子１２に基づく判断方法の一例（判断方法３）である。図６の例では、それぞれのシート１０に、互いに異なる識別子１２が付与される。図６の例では、識別子と、その識別子が付されたシート１０が含有する香料１１が徐放するにおいが属するグループ（例えば、グループＡ、グループＢ、グループＣ。同一のグループに属するにおいは同一のにおいである）の情報と、が紐付けられて、識別子情報格納部２３内で管理されている。したがって、判断部２２は、識別子１２に紐付けられたにおいのグループの情報に基づいて、同一のにおいであるか否かを判断することができる。
【００３６】
＜＜判断方法４＞＞
図７は、本発明の一実施形態に係る識別子１２に基づく判断方法の一例（判断方法４）である。図７の例では、それぞれのシート１０に、互いに異なる識別子１２が付与される。図７の例では、識別子と、その識別子が付されたシート１０が含有する香料１１が徐放するにおいを発する物（例えば、りんご、みかん、ぶどう）の情報と、が紐付けられて、識別子情報格納部２３内で管理されている。したがって、判断部２２は、識別子１２に紐付けられたにおいを発する物の情報に基づいて、同一のにおいであるか否かを判断し、かつ、何のにおいであったかを判断することができる。
【００３７】
図３に戻る。判断部２２は、上記の判断方法により判断した結果を、通知部２４が参照できるように嗅覚トレーニング用端末２０内のメモリに記憶させる。
【００３８】
識別子情報格納部２３は、識別子１２と、その識別子１２が付されたシート１０が含有する香料１１が徐放するにおいが属するグループの情報を格納する。また、識別子情報格納部２３は、識別子１２と、その識別子１２が付されたシート１０が含有する香料１１が徐放するにおいを発する物の情報を格納する。以下、図８を参照しながら、識別子情報格納部２３に格納されているデータについて説明する。
【００３９】
図８は、本発明の一実施形態に係る識別子情報格納部２３に格納されているデータの一例である。
【００４０】
図８の左上は、図４の＜判断方法１＞の場合である。判断方法１では、識別子１２（例えば、ＱＲコード）と、その識別子が付されたシート１０が含有する香料１１が徐放するにおいが属するグループ（例えば、グループＡ、グループＢ、グループＣ。同一のグループに属するにおいは同一のにおいである）の情報と、が紐付けられている。
【００４１】
図８の右上は、図５の＜判断方法２＞の場合である。判断方法２では、識別子１２（例えば、ＱＲコード）と、その識別子が付されたシート１０が含有する香料１１が徐放するにおいを発する物（例えば、りんご、みかん、ぶどう）の情報と、が紐付けられている。
【００４２】
図８の左下は、図６の＜判断方法３＞の場合である。判断方法３では、識別子１２は、互いに異なる。識別子１２（例えば、ＱＲコード）と、その識別子が付されたシート１０が含有する香料１１が徐放するにおいが属するグループ（例えば、グループＡ、グループＢ、グループＣ。同一のグループに属するにおいは同一のにおいである）の情報と、が紐付けられている。
【００４３】
図８の右下は、図７の＜判断方法４＞の場合である。判断方法４では、識別子１２は、互いに異なる。識別子１２（例えば、ＱＲコード）と、その識別子が付されたシート１０が含有する香料１１が徐放するにおいを発する物（例えば、りんご、みかん、ぶどう）の情報と、が紐付けられている。
【００４４】
図３に戻る。通知部２４は、判断部２２が判断した結果（つまり、同一のにおいであるか異なるにおいであるか、何のにおいであるかなど）を管理者２００に通知する。具体的には、通知部２４は、嗅覚トレーニング用端末２０上に、判断部２２が判断した結果を示す画面を表示させる。
【００４５】
図９は、本発明の一実施形態に係る判断処理の一例を示すフローチャートである。
【００４６】
ステップ１１（Ｓ１１）において、嗅覚トレーニング用端末２０の取得部２１は、被訓練者１００によって提示されたシート１０に付された第１の識別子を取得する。
【００４７】
ステップ１２（Ｓ１２）において、取得部２１は、Ｓ１１と同一の被訓練者１００によって提示されたＳ１１のシート１０とは別のシート１０に付された第２の識別子を取得する。
【００４８】
ステップ１３（Ｓ１３）において、判断部２２は、Ｓ１１で取得した第１の識別子およびＳ１２で取得した第２の識別子に基づいて、Ｓ１１のシート１０が含有する香料１１が徐放するにおいとＳ１２のシート１０が含有する香料１１が徐放するにおいとが同一のにおいであるか否かを判断する。具体的には、判断部２２は、上述した＜判断方法１＞〜＜判断方法４＞を用いて判断することができる。
【００４９】
ステップ１４（Ｓ１４）において、通知部２４は、Ｓ１３で判断した結果（つまり、同一のにおいであるか異なるにおいであるか、何のにおいであるかなど）を管理者２００に通知する。具体的には、通知部２４は、嗅覚トレーニング用端末２０上に、Ｓ１３で判断した結果を示す画面を表示させる。
【００５０】
図１０は、本発明の一実施形態に係る嗅覚トレーニング処理の一例を示すフローチャートである。
【００５１】
ステップ２１（Ｓ２１）において、管理者２００は、被訓練者１００にシート１０を有させる。具体的には、被訓練者１００が複数人で嗅覚トレーニングを受ける場合、管理者２００は、被訓練者１００に、被訓練者１００自身の衣服または身体にシート１０を貼り付けさせたり（シールの場合）、被訓練者１００自身の首にシート１０をぶらさげさせたり（カードの場合）する。被訓練者１００が１人で嗅覚トレーニングを受ける場合、管理者２００は、被訓練者１００に、複数のシート１０を有させる。
【００５２】
例えば、嗅覚トレーニング用端末２０の通知部２４は、嗅覚トレーニング用端末２０上に、被訓練者１００にシート１０を有させるよう指示する画面を表示させることができる。管理者２００は、このような画面にしたがって、被訓練者１００にシート１０を有させることができる。
【００５３】
ステップ２２（Ｓ２２）において、管理者２００は、被訓練者１００にＳ２１のシート１０のにおいを嗅がせる。具体的には、被訓練者１００が複数人で嗅覚トレーニングを受ける場合、管理者２００は、被訓練者１００に、被訓練者１００自身のシート１０が含有する香料１１が徐放するにおいと、自身以外の被訓練者１００のシート１０が含有する香料１１が徐放するにおいとを嗅がせる。被訓練者１００が１人で嗅覚トレーニングを受ける場合、管理者２００は、被訓練者１００に、被訓練者１００のシート１０が含有する香料１１が徐放するにおいを嗅がせる。
【００５４】
例えば、嗅覚トレーニング用端末２０の通知部２４は、嗅覚トレーニング用端末２０上に、被訓練者１００にシート１０のにおいを嗅がせるよう指示する画面を表示させることができる。管理者２００は、このような画面にしたがって、被訓練者１００にシート１０のにおいを嗅がせることができる。
【００５５】
ステップ２３（Ｓ２３）において、管理者２００は、被訓練者１００に、Ｓ２２のシート１０のなかから同一のにおいである２つ以上のシート１０を特定させる。そして、管理者２００は、被訓練者１００に、特定した２つ以上のシート１０を管理者２００に提示させる。
【００５６】
例えば、嗅覚トレーニング用端末２０の通知部２４は、嗅覚トレーニング用端末２０上に、被訓練者１００に同一のにおいである２つ以上のシート１０を特定させて、特定した２つ以上のシート１０を管理者２００に提示させるよう指示する画面を表示させることができる。管理者２００は、このような画面にしたがって、被訓練者１００に同一のにおいである２つ以上のシート１０を特定させて、特定した２つ以上のシート１０を管理者２００に提示させることができる。
【００５７】
ステップ２４（Ｓ２４）において、図９を参照しながら説明した判断処理が実行される。
【００５８】
ステップ２５（Ｓ２５）において、Ｓ２４の判断結果に基づいて、管理者２００は、被訓練者１００に褒美を与えることができる。
【００５９】
図１１は、本発明の一実施形態に係る嗅覚トレーニングの概要の一例を説明するための図である。図１１の例では、図２の例とは異なり、嗅覚トレーニング用サーバ３０が設置される。嗅覚トレーニング用サーバ３０は、嗅覚トレーニング用端末２０の機能の一部または全部を備えることができる。嗅覚トレーニング用サーバ３０は、嗅覚トレーニング用端末２０等の管理者２００が操作する端末からの要求に応じて、上記で説明した嗅覚トレーニング用端末２０の処理の一部または全部を実行することができる。なお、嗅覚トレーニング用端末２０と嗅覚トレーニング用サーバ３０とのそれぞれを嗅覚トレーニング用装置とも呼ぶ。
【００６０】
＜変形例＞
以下、変形例について説明する。
【００６１】
本発明の一実施形態では、シート１０が含有する香料１１が徐放するにおいに強弱をつける（例えば、りんごの強いにおい、りんごの弱いにおい）ことができる。例えば、初級の嗅覚トレーニングでは強いにおいのシート１０を用い、上級の嗅覚トレーニングでは弱いにおいのシート１０を用いるようにすることができる。
【００６２】
本発明の一実施形態では、シート１０ごとに、シート１０内での香料１１の位置（つまり、においが発せられる場所）を変えることができる。そのため、被訓練者１００は、においが発せられる場所を探すことによって嗅覚を鍛えることができる。また、本発明の一実施形態では、シート１０ごとに、シート１０内での香料１１が含有される面積を変えることができる。
【００６３】
本発明の一実施形態では、１つのシート１０に、２つ以上の香料１１を含有させることができる。そのため、被訓練者１００は、１つのシート１０で嗅覚トレーニングを実施することができる。この場合、１つのシート１０に、２つ以上の香料を識別するための１つの識別子１２が付されてもよい。
【００６４】
＜効果＞
このように、本発明の一実施形態では、においを嗅いだ結果の判定が容易に行われるので、嗅覚トレーニングを容易に実施することができる。具体的には、人間の視覚ではシート１０のにおいを区別する（つまり、識別子１２を区別する）ことは困難であるが、コンピュータは、識別子１２に基づいてにおいを区別することができるため、嗅覚トレーニングを容易に実施することができる。
【００６５】
さらに、嗅覚トレーニングの開始時にシート１０から徐放防止剤１３を除去し、嗅覚トレーニングの終了時にシート１０を廃棄することによって、嗅覚トレーニング中以外は、においが徐放されずに済む。
【００６６】
例えば、嗅覚トレーニング用シート１０は、幼児の嗅覚を発達させるための玩具として用いられうる。嗅覚トレーニング用シート１０を用いて幼児に嗅覚トレーニングを実施することによって、幼少時より鋭敏な嗅覚を身に付けさせながら、情操教育を行うこともできる。また、幼児をコンピュータに親しませることができる。
【００６７】
＜ハードウェア構成＞
図１２は、本発明の一実施形態に係る嗅覚トレーニング用装置（つまり、嗅覚トレーニング用端末２０、嗅覚トレーニング用サーバ３０）のハードウェア構成の一例を示すブロック図である。嗅覚トレーニング用端末２０、嗅覚トレーニング用サーバ３０は、ＣＰＵ（Central Processing Unit）１、ＲＯＭ（Read Only Memory）２、ＲＡＭ（Random Access Memory）３を有する。ＣＰＵ１、ＲＯＭ２、ＲＡＭ３は、いわゆるコンピュータを形成する。
【００６８】
また、嗅覚トレーニング用端末２０、嗅覚トレーニング用サーバ３０は、補助記憶装置４、表示装置５、操作装置６、Ｉ／Ｆ（Interface）装置７、ドライブ装置８を有する。なお、嗅覚トレーニング用端末２０、嗅覚トレーニング用サーバ３０の各ハードウェアは、バスＢを介して相互に接続されている。
【００６９】
ＣＰＵ１は、補助記憶装置４にインストールされている各種プログラムを実行する演算デバイスである。
【００７０】
ＲＯＭ２は、不揮発性メモリである。ＲＯＭ２は、補助記憶装置４にインストールされている各種プログラムをＣＰＵ１が実行するために必要な各種プログラム、データ等を格納する主記憶デバイスとして機能する。具体的には、ＲＯＭ２はＢＩＯＳ（Basic Input/Output System）やＥＦＩ（Extensible Firmware Interface）等のブートプログラム等を格納する、主記憶デバイスとして機能する。
【００７１】
ＲＡＭ３は、ＤＲＡＭ（Dynamic Random Access Memory）やＳＲＡＭ（Static Random Access Memory）等の揮発性メモリである。ＲＡＭ３は、補助記憶装置４にインストールされている各種プログラムがＣＰＵ１によって実行される際に展開される作業領域を提供する、主記憶デバイスとして機能する。
【００７２】
補助記憶装置４は、各種プログラムや、各種プログラムが実行される際に用いられる情報を格納する補助記憶デバイスである。
【００７３】
表示装置５は、嗅覚トレーニング用端末２０、嗅覚トレーニング用サーバ３０の内部状態等を表示する表示デバイスである。
【００７４】
操作装置６は、嗅覚トレーニング用端末２０、嗅覚トレーニング用サーバ３０の管理者が嗅覚トレーニング用端末２０、嗅覚トレーニング用サーバ３０に対して各種指示を入力する入力デバイスである。
【００７５】
Ｉ／Ｆ装置７は、ネットワーク１０３に接続し、嗅覚トレーニング用端末２０、嗅覚トレーニング用サーバ３０と通信を行うための通信デバイスである。
【００７６】
ドライブ装置８は記憶媒体９をセットするためのデバイスである。ここでいう記憶媒体９には、ＣＤ−ＲＯＭ、フレキシブルディスク、光磁気ディスク等のように情報を光学的、電気的あるいは磁気的に記録する媒体が含まれる。また、記憶媒体９には、ＥＰＲＯＭ (Erasable Programmable Read Only Memory)、フラッシュメモリ等のように情報を電気的に記録する半導体メモリ等が含まれていてもよい。
【００７７】
なお、補助記憶装置４にインストールされる各種プログラムは、例えば、配布された記憶媒体９がドライブ装置８にセットされ、該記憶媒体９に記録された各種プログラムがドライブ装置８により読み出されることでインストールされる。あるいは、補助記憶装置４にインストールされる各種プログラムは、Ｉ／Ｆ装置７を介して、ネットワークＮとは異なる他のネットワークよりダウンロードされることでインストールされてもよい。
【００７８】
以上、本発明の実施例について詳述したが、本発明は上述した特定の実施形態に限定されるものではなく、特許請求の範囲に記載された本発明の要旨の範囲内において、種々の変形・変更が可能である。
【符号の説明】
【００７９】
１０  嗅覚トレーニング用シート
１１  香料
１２  識別子
１３  徐放防止剤
１４  粘着剤
１５  剥離紙・剥離フィルム
１００  被訓練者
２００  管理者
２０  嗅覚トレーニング用端末
２１  取得部
２２  判断部
２３  識別子情報格納部
２４  通知部
３０  嗅覚トレーニング用サーバ
【図１】
2020183969.tif 000003
【図２】
2020183969.tif 000004
【図３】
2020183969.tif 000005
【図４】
2020183969.tif 000006
【図５】
2020183969.tif 000007
【図６】
2020183969.tif 000008
【図７】
2020183969.tif 000009
【図８】
2020183969.tif 000010
【図９】
2020183969.tif 000011
【図１０】
2020183969.tif 000012
【図１１】
2020183969.tif 000013
【図１２】
2020183969.tif 000014